(57)【要約】  【課題】従来の構成では、商品がフラップを押開いて搬出された後、フラップが回動して商品搬出口を閉鎖する際に、庫外の空気が商品搬出口内へ引き込まれるため、フラップと暖簾で形成される内扉の厚み空間の温度が庫外温度と同等となり、断熱空間としての機能が損なわれるという課題を有していた。  【解決手段】本発明の自動販売機の商品搬出口１０は、商品搬出口１０の前後に設けたシャッター２０ａ，２０ｂと、シャッター２０ａ，２０ｂを開閉する駆動源２１を備えたものであり、シャッター２０ａ，２０ｂは上下動で開閉するため、シャッターの閉動作に伴って庫外の空気が商品搬出口１０へ引き込まれることはなく、内扉３の厚み空間を断熱空間として最大限に利用できる。【選択図】図１
2007052528.tif 000002
【特許請求の範囲】
【請求項１】
庫内を冷却または加熱する手段を備えてコールド商品またはホット商品を販売する自動販売機において、商品ラックを配設したケース本体の前面に、商品取出口を備えた外扉と、商品搬出口を備えた内扉と、前記商品搬出口の前後に設けたシャッターと、前記シャッターを開閉する駆動源を備えたことを特徴とする自動販売機の商品搬出口。
【請求項２】
上下動する前記シャッターの下辺部を除く部位に設けられたシール部材Ａと、前記内扉に固定されたシャッター下辺部のシール部材Ｂとを備えたことを特徴とする請求項１に記載の自動販売機の商品搬出口。
【請求項３】
内扉に固定され上下動する前記シャッターを案内するガイド部材と、前記ガイド部材に内扉側に向かう付勢バネを設けたことを特徴とする請求項２に記載の自動販売機の商品搬出口。
【請求項４】
前記商品搬出口周辺の内扉に設けた枠体と、前記枠体と前記内扉の隙間に前記シャッターの周縁部が収納されるケース構造体を備えたことを特徴とする請求項１に記載の自動販売機の商品搬出口。
【請求項５】
前記商品取出口を開閉する商品取出口扉と、前記シャッターと、前記商品取出口扉と前記シャッターの間に設けられた防盗扉と、前記シャッターに設けたフックと、前記防盗扉の回動を規制するストッパーを備えたことを特徴とする請求項１に記載の自動販売機の商品搬出口。
【発明の詳細な説明】
【技術分野】
【０００１】
本発明は、缶飲料などの商品を加温あるいは冷却して販売する自動販売機において、内扉に形成された商品搬出口を開閉するシャッターを設けて、自動販売機庫内の熱リークを低減する自動販売機の商品搬出口に関するものである。
【背景技術】
【０００２】
従来、この種の商品搬出口は、商品販売時に搬出口を出入りする空気を遮断するための暖簾を設けている（特許文献１参照）。
【０００３】
図４は従来の外扉を開いた状態の自動販売機の全体斜視図である。図５は従来の自動販売機の商品搬出口を示す縦断面図である。
【０００４】
図４，図５において、従来の自動販売機は、断熱筐体としてなるケース本体１、外扉２、ケース本体１の前面を閉塞する内扉３とから構成され、ケース本体１の庫内には商品ラック４、商品搬出シュータ５、庫内を保冷する冷却器６、加熱用ヒータ７、庫内ファン８などが配備されている。また、外扉２には商品取出口９が開口している。
【０００５】
さらに、内扉３には前記シュータ５と商品取出口９との間を連通するように開口した商品搬出口１０に商品搬出扉としてのフラップ１１を備えている。
【０００６】
また、商品搬出口１０の庫内側に暖簾１２を設けている。
【０００７】
このような構成による商品販売動作は周知であり、販売動作により商品ラック４から落下搬出した商品はシュータ５の斜面を転動し、フラップ１１を押し開いて商品取出口９に送出される。また、ホット商品、コールド商品の販売モードに合わせて庫内を冷却器６で冷却、あるいはヒータ７で加熱するようにしている。
【０００８】
一方、前記のように庫内の冷却、加熱手段を備えた断熱構造のキャビネットでは、商品搬出口１０の庫内側に暖簾１２が設けられているため、商品販売時に内扉３の商品搬出口１０から庫内に外気が侵入したり、逆に庫内の空気が外部に逃げたりするのを抑制する。
【特許文献１】特開平５−２８３５５号公報
【発明の開示】
【発明が解決しようとする課題】
【０００９】
しかしながら、上記従来の構成では、商品がフラップを押開いて搬出された後、フラップが回動して商品搬出口を閉鎖する際に、庫外の空気が商品搬出口内へ引き込まれるため、フラップと暖簾で形成される内扉の厚み空間の温度が庫外温度と同等となり、断熱空間としての機能が損なわれるという課題を有していた。
【００１０】
本発明は、上記従来の課題を解決するもので、内扉の厚み空間を断熱空間として最大限に利用できる自動販売機の商品搬出口を提供することを目的とする。
【課題を解決するための手段】
【００１１】
上記従来の課題を解決するために、本発明の自動販売機の商品搬出口は、商品搬出口の前後に設けたシャッターと、前記シャッターを開閉する駆動源を備えたものであり、前記シャッターは上下動で開閉するため、シャッターの閉動作に伴って庫外の空気が商品搬出口へ引き込まれることはなく、内扉の厚み空間を断熱空間として最大限に利用できる。
【発明の効果】
【００１２】
本発明の自動販売機の商品搬出口は、内扉の厚み空間全体を断熱空間として利用するので、商品搬出口からの熱リークを低減することができる。
【発明を実施するための最良の形態】
【００１３】
請求項１に記載の発明は、庫内を冷却または加熱する手段を備えてコールド商品またはホット商品を販売する自動販売機において、商品ラックを配設したケース本体の前面に、商品取出口を備えた外扉と、商品搬出口を備えた内扉と、前記商品搬出口の前後に設けたシャッターと、前記シャッターを開閉する駆動源を備え、前記シャッターは上下動で開閉されるため、シャッターの閉動作に伴って庫外の空気が商品搬出口に引き込まれることがなく、内扉の厚み空間を断熱空間として最大限に利用でき、商品搬出口からの熱リークを低減することができる。
【００１４】
請求項２に記載の発明は、請求項１に記載の発明において、上下動する前記シャッターの下辺部を除く部位に設けられたシール部材Ａと、前記内扉に固定されたシャッター下辺部のシール部材Ｂとを備えたものであり、前記シャッターの移動による摩擦抵抗を押さえながら内扉とシャッターをシールすることにより、内扉とシャッターで形成される断熱空間の密閉性を向上させることができ、隙間からの空気の出入りを遮断して、商品搬出口からの熱リークをさらに低減することができる。
【００１５】
請求項３に記載の発明は、請求項２に記載の発明において、内扉に固定され上下動する請求項２に記載のシャッターを案内するガイド部材と、前記ガイド部材に内扉側に向かう付勢バネを設けたものであり、前記シャッターの開閉動作に伴い、前記シール部材Ａに過大な応力が加わり、前記シール部材Ａが変形してシール性が低下するのを防止することができる。
【００１６】
請求項４に記載の発明は、請求項１に記載の発明において、商品搬出口周辺の内扉に設けた枠体と、前記枠体と前記内扉の隙間に前記シャッターの周縁部が収納されるケース構造体を備えたものであり、外部からシャッターの縁を手で掴めないようにして、庫内商品の盗難防止を図ることができる。
【００１７】
請求項５に記載の発明は、請求項１に記載の発明において、商品取出口を開閉する商品取出口扉と、前記シャッターと、前記商品取出口扉と前記シャッターの間に設けられた防盗扉と、前記シャッターに設けたフックと、前記防盗扉の回動を規制するストッパーを備えたものであり、防盗扉が回動してシャッターに設けたフックに当接することでロックし、庫内商品の盗難を確実に防止することができる。
【００１８】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００１９】
（実施の形態１）
図１は、本発明の実施の形態１における自動販売機の商品搬出口を示す自動販売機下部の縦断面図である。
【００２０】
図１において、内扉３の商品搬出口１０の前後に設けたシャッター２０ａ，２０ｂと、シャッター２０ａ，２０ｂを開閉する駆動源２１を備えており、駆動源２１はモータ２２とカム２３ａ，２３ｂ，２３ｃから構成される。
【００２１】
以上のように構成された自動販売機の商品搬出口について、以下その動作、作用を説明する。
【００２２】
まず、商品販売時には、駆動源２１を構成するモータ２２が時計方向に回転し、モータ２２と連結されたカム２３ａが反時計方向に回転してシャッター２０ａを上方向に移動させて商品搬出口１０を開放する。それと同時に、モータ２２が時計方向に回転することで、モータ２２と連結されたカム２３ｂが反時計方向に回転し、カム２３ｂと連結されたカム２３ｃが時計方向に回転してシャッター２０ｂを上方向に移動させて商品搬出口を開放させる。このとき、商品搬出口１０の前後に設けられたシャッター２０ａ，２０ｂは互いに同期して上方向へ移動することになる。
【００２３】
そして商品の搬出が終了すると、駆動源２１を構成するモータが反時計方向に回転し、モータ２２と連結されたカム２３ａが時計方向に回転してシャッター２０ａを下方向に移動させて商品搬出口１０を閉塞する。それと同時に、モータ２２が反時計方向に回転することで、モータ２２と連結されたカム２３ｂが時計方向に回転し、カム２３ｂと連結されたカム２３ｃが反時計方向に回転してシャッター２０ｂを下方向に移動させて商品搬出口を閉塞させる。このとき、商品搬出口１０の前後に設けられたシャッター２０ａ，２０ｂは互いに同期して下方向へ移動することになり、商品搬出口１０を閉塞する際に、庫外の空気を商品搬出口内へ引き込むことはない。
【００２４】
以上のように、本実施の形態においては、内扉３の商品搬出口１０の前後に設けたシャッター２０ａ，２０ｂと、シャッター２０ａ，２０ｂを開閉する駆動源２１を備えることにより、シャッター２０ａ，２０ｂを上下動させて商品搬出口１０を開閉するため、商品搬出口１０を閉塞する際に、庫外の空気を商品搬出口内へ引き込むことがなく、内扉３の厚み空間を断熱空間として最大限に利用でき、商品搬出口１０からの熱リークを低減することができる。
【００２５】
（実施の形態２）
図２（ａ）は、本発明の実施の形態２における自動販売機の商品搬出口の縦断面図であり、図２（ｂ）は、同実施の形態の自動販売機の商品搬出口のシャッターの正面図である。
【００２６】
図２において、上下動するシャッター２０ａ，２０ｂの下辺部を除く部位に設けられたシール部材Ａ２４ａ，２４ｂと、内扉３に固定されたシャッター２０ａ，２０ｂの下辺部のシール部材Ｂ２５ａ，２５ｂと、内扉３に固定され上下動するシャッター２０ａ，２０ｂを案内するガイド部材２６ａ，２６ｂと、ガイド部材２６ａ，２６ｂに内扉３側に向かう付勢バネ（図示せず）を設けたものである。
【００２７】
以上のように構成された自動販売機の商品搬出口について、以下その動作、作用を説明する。
【００２８】
まず、販売待機時においては、シール部材Ａ２４ａとシール部材Ｂ２５ａ、シール部材Ａ２４ｂとシール部材Ｂ２５ｂが密着し、内扉３とシャッター２０ａ，２０ｂの隙間を閉塞し、内扉３とシャッター２０ａ，２０ｂで形成される断熱空間の密閉性を向上させることができる。
【００２９】
商品販売時には、駆動源２１によってシャッター２０ａ，２０ｂが上方に移動するとともに、シール部材Ａ２４ａ，２４ｂがシール部材Ｂ２５ａ，２５ｂから離れて、シャッター２０ａ，２０ｂとともに上方に移動する。このとき、シャッター２０ａ，２０ｂの下辺部のシール部材Ｂ２５ａ，２５ｂを内扉３に残して移動するため、移動時の摩擦抵抗はシール部材Ａ２４ａ，２４ｂのみとなり、移動時の抵抗を低減できる。
【００３０】
また、ガイド部材２６ａ，２６ｂに設けた付勢バネ（図示せず）により、シャッター２０ａ，２０ｂが内扉３側に付勢され、シャッター２０ａ，２０ｂの開閉動作に伴うシール部材Ａ２４ａ，２４ｂへの応力を低減し、シール部材Ａ２４ａ，２４ｂが変形してシール性が低下するのを防止することができる。
【００３１】
以上のように本実施の形態においては、上下動するシャッター２０ａ，２０ｂの下辺部を除く部位に設けられたシール部材Ａ２４ａ，２４ｂと、内扉３に固定されたシャッター２０ａ，２０ｂの下辺部のシール部材Ｂ２５ａ，２５ｂを備えたものであり、内扉３とシャッター２０ａ，２０ｂの隙間を閉塞し、内扉３とシャッター２０ａ，２０ｂで形成される断熱空間の密閉性を向上させることができ、隙間からの空気の出入りを遮断でき、商品搬出口からの熱リークをさらに低減することができる。
【００３２】
さらに、シャッター２０ａ，２０ｂの下辺部のシール部材Ｂ２５ａ，２５ｂを内扉３に残して移動するため、移動時の摩擦抵抗はシール部材Ａ２４ａ，２４ｂのみとなり、移動時の抵抗を低減できる。
【００３３】
また、ガイド部材２６ａ，２６ｂに付勢バネ（図示せず）を設けたものであり、シャッター２０ａ，２０ｂが内扉３側に付勢され、シャッター２０ａ，２０ｂの開閉動作に伴うシール部材Ａ２４ａ，２４ｂへの応力を低減し、シール部材Ａ２４ａ，２４ｂが変形してシール性が低下するのを防止することができる。
【００３４】
（実施の形態３）
図３は、本発明の実施の形態３における自動販売機の商品搬出口を示す自動販売機下部の縦断面図である。
【００３５】
図３において、商品取出口９を開閉する商品取出口扉２７とシャッター２０ｂの間に設けられた防盗扉２８と、シャッター２０ｂに設けたフック２９と、防盗扉２８の回動を規制するストッパー３０を備えたものである。
【００３６】
また、商品搬出口１０周辺の内扉３に設けた枠体３１と、枠体３１と内扉３の隙間にシャッター２０ａ，２０ｂの周縁部が収納されるケース構造体（図示せず）を備えたものである。
【００３７】
以上のように構成された自動販売機の商品搬出口について、以下その動作、作用を説明する。
【００３８】
庫内への悪戯、あるいは商品の盗難をすべく、商品取出口扉２７を前方へ開いて手腕等を商品搬出口１０内へ直接浸入させようとしても、挿入された手腕等によって後方へ回動した防盗扉２８の下端部がシャッター２０ｂに当接し、この状態でシャッター２０ｂを手腕等で押上げようとしても、シャッター２０ｂに設けられたフック２９が防盗扉２８に当接してシャッター２０ｂがロックされるので、当該シャッター２０ｂの開放を阻止し、これら盗難行為等を有効に防止する。
【００３９】
さらに、かかる防盗扉２８を手前側に回動させ、商品取出口９の外部まで引き出そうとしても、ストッパー３０によってその回動を規制されるので、当該防盗扉２８の引き出し行為も効果的に阻止することができる。
【００４０】
また、販売待機時において、ケース構造体（図示せず）を構成する枠体３１と内扉３により形成される隙間にシャッター２０ｂの周縁部が収納されている。この状態においては、外部から手でシャッター２０ｂの周縁を掴んで押し上げることができないので、庫内商品の盗難行為を未然に防止することができる。
【００４１】
以上のように、本実施の形態においては、商品取出口扉２７とシャッター２０ｂの間に設けられた防盗扉２８と、シャッター２０ｂに設けたフック２９と、防盗扉２８の回動を規制するストッパー３０を備えたものであり、防盗扉２８が回動してフック２９に当接することでシャッター２０ｂをロックするため、庫内商品の盗難行為を有効に防止することができる。
【００４２】
さらに、防盗扉２８はストッパー３０によってその回動を規制されるので、当該防盗扉２８の引き出し行為も効果的に阻止することができる。
【００４３】
また、枠体３１と内扉３の隙間にシャッター２０ｂの周縁部が収納されるケース構造体（図示せず）を備えたものであり、外部からシャッター２０ｂの縁を手で掴めないようにして、庫内商品の盗難行為を未然に防止することができる。
【産業上の利用可能性】
【００４４】
以上のように、本発明にかかる自動販売機の商品搬出口は、商品搬出口からの熱リークを低減することができるため、住宅の窓や玄関の断熱構造設計等の用途にも適用できる。
【図面の簡単な説明】
【００４５】
【図１】本発明の実施の形態１における自動販売機の商品搬出口を示す自動販売機下部の縦断面図
【図２】（ａ）本発明の実施の形態２における自動販売機の商品搬出口の縦断面図（ｂ）同実施の形態の自動販売機の商品搬出口のシャッターの正面図
【図３】本発明の実施の形態３における自動販売機の商品搬出口を示す自動販売機下部の縦断面図
【図４】従来の自動販売機の外扉を開いた状態の全体斜視図
【図５】従来の自動販売機の商品搬出口を示す縦断面図
【符号の説明】
【００４６】
３    内扉
９    商品取出口
１０  商品搬出口
２０ａ，２０ｂ  シャッター
２１  駆動源
２２  モータ
２３ａ，２３ｂ，２３ｃ  カム
２４ａ，２４ｂ  シール部材Ａ
２５ａ，２５ｂ  シール部材Ｂ
２６ａ，２６ｂ  ガイド部材
２７  商品取出口扉
２８  防盗扉
２９  フック
３０  ストッパー
３１  枠体
【図１】
2007052528.tif 000003
【図２】
2007052528.tif 000004
【図３】
2007052528.tif 000005
【図４】
2007052528.tif 000006
【図５】
2007052528.tif 000007